(57)【要約】【課題】遮音性及び施工性を向上した、遮音床構造を提供する。【解決手段】複数のコンクリート板上に制振材及び床板材を組み合わせて配置する遮音床構造であって、コンクリート板上面に所定の間隔を設けて複数のリブを突設し、前記リブ間に前記制振材及び前記床板材を渡設して構成することを特徴とする、遮音床構造。【選択図】図１
2014020067.tif 000002
【特許請求の範囲】
【請求項１】
コンクリート板上に制振材及び床板材を組み合わせて配置する遮音床構造であって、
コンクリート板上面に所定の間隔を設けて複数のリブを突設し、
前記リブ間に前記制振材及び前記床板材を渡設して構成することを特徴とする、遮音床構造。
【請求項２】
請求項１に記載の遮音床構造において、
前記リブは台形状に構成することを特徴とする、遮音床構造。
【請求項３】
請求項１又は請求項２に記載の遮音床構造において、
複数のコンクリート板の長手方向端部の隣接面間に、仕切り板を配置して構成することを特徴とする、遮音床構造。
【発明の詳細な説明】
【技術分野】
【０００１】
本発明は、遮音性に優れた床構造に関するものである。
【背景技術】
【０００２】
特許文献１に示すように、遮音性能や床衝撃音低減性能（以下、合わせて「遮音性」とする）の向上を目的とした床構造として、平板状のコンクリート板上に角材を配置し、その上に床板材を配置する構造が知られている。
【先行技術文献】
【特許文献】
【０００３】
【特許文献１】特開２００１−３４８９８６号公報
【発明の概要】
【発明が解決しようとする課題】
【０００４】
前述した床構造には、以下のような問題点があった。
（１）遮音性を向上するためには、コンクリート板を厚くする必要があった。
（２）厚いコンクリート板は高重量であり、さらに上面に角材を配置するため、施工に時間がかかった。
【０００５】
本発明は、コンクリート板そのものにリブを形成し、その上に制振材と床板材を組み合わせて配置することにより、遮音性及び施工性を向上した、遮音床構造を提供することを目的とする。
【課題を解決するための手段】
【０００６】
上記のような課題を解決する本発明の遮音床構造は、コンクリート板上に制振材及び床板材を組み合わせて配置する遮音床構造であって、コンクリート板上面に所定の間隔を設けて複数のリブを突設し、前記リブ間に前記制振材及び前記床板材を渡設して構成することを特徴とするものである。
また、前記リブは台形状に構成するものである。
また、複数のコンクリート板の長手方向端部の隣接面間に、仕切り板を配置して構成するものである。
【発明の効果】
【０００７】
本発明の遮音床構造は、次のような効果を得ることができる。
（１）コンクリート板上面にリブを突設することにより、コンクリート板の剛性を高め、衝撃音を低減できる。
（２）リブを台形状にすることにより、リブ間の空隙も台形状となり、空隙内の空気伝播音を拡散して共振を防止できる。
（３）リブ間の空隙によって、衝撃音を干渉する音響管の効果が得られ、低周波域の振幅を低減できる。
（４）コンクリート板の剛性が高まるため、コンクリート板を薄くすることができる。
（５）薄いコンクリート板上面に、直接制振材及び床板材を配置するため、容易に施工できる。
【図面の簡単な説明】
【０００８】
【図１】本発明の遮音床構造の斜視図。
【図２】本発明の遮音床構造の断面図。
【図３】その他実施例にかかる遮音床構造の斜視図。
【発明を実施するための形態】
【０００９】
以下図面を参照にしながら本発明の好適な実施の形態を詳細に説明する。
【実施例１】
【００１０】
＜１＞基本的構成
本発明の遮音床構造は、コンクリート板１と、コンクリート板１上面に配置する制振材２及び床板材３により構成する（図１）。
【００１１】
＜２＞コンクリート板
コンクリート板１は矩形の平板である。
コンクリート板１の内部には、鉄筋などの補強材（図示せず）を配置する。
コンクリート板１の上面には、複数のリブ１１を突設する。
【００１２】
＜２−１＞リブ
リブ１１は、コンクリート板１の上面に、所定の間隔を設けて長手方向に平行に設ける。
リブ１１は、断面が台形状に形成する。
コンクリート板１は、リブ１１によって高剛性となり、撓みを低減する。
また、コンクリート板１内部には補強材を設けるため、さらに剛性が向上する。
【００１３】
＜３＞制振材
制振材２は平板状である。
制振材２はスポンジや樹脂、ゴム製の弾性シートや発泡ウレタンからなる。
制振材２は前記コンクリート板１のリブ１１間に渡設して配置する。
【００１４】
＜４＞床板材
床板材３はパーチクルボードであり、制振材２の上面に配置する。
制振材２及び床板材３は従来知られている方法によってコンクリート板１上に固定する。
【００１５】
＜５＞遮音床構造
コンクリート板１のリブ１１上に制振材２及び床板材３を配置することにより、コンクリート板１、リブ１１、制振材２及び床板材３によって包囲される空隙４が形成される（図２）。
空隙４は断面が逆台形状であり、コンクリート板１の長手方向に連続している。
コンクリート板１の下面には、さらに防振材５を配置してもよい。
防振材５は制振材２と同様に、スポンジや樹脂、ゴム製の弾性シートや発泡ウレタンからなる。
【００１６】
＜６＞遮音効果
＜６−１＞コンクリート板の剛性による遮音効果
コンクリート板１は内部に補強材を設けるとともに、上面には複数のリブ１１を突設することにより、高剛性となる。
遮音床構造を構成するコンクリート板１が高い剛性性能を有することにより、コンクリート板１により衝撃音を低減する。
【００１７】
＜６−２＞空隙による遮音効果
遮音床構造は、内部に空隙４を有する。
リブ１１を台形状にすることにより、リブ１１間の空隙４も逆台形状となる。
床板材３上面からの床衝撃音は制振材２によって低減されて、空隙４に伝播される。
空隙４は逆台形状であるため、空隙４底面やリブ１１の斜面で空気伝播音が反射・拡散することにより、共振を防止する。
また、空隙４はコンクリート板１の長手方向に連続しているため、衝撃音を干渉する音響管の効果により、低周波域の振幅を低減する。
【００１８】
＜６−３＞制振材、防振材による遮音効果
遮音床構造は、制振材２や防振材５を有する。
制振材２や防振材５によって、固体伝播音を低減する。
【００１９】
＜７＞その他の効果
コンクリート板１は高い剛性性能を有するため、板厚を薄くすることができる。
これにより、建物構造全体を軽量化することができる。
また、遮音床構造は床梁上に配置するが、コンクリート板１が高剛性であるため、床梁のスパンを長くすることも可能となる。
【００２０】
本発明の遮音床構造は、コンクリート板１上に直接制振材２及び床板材３を配置するため、施工性が良く、短時間での施工が可能となる。
【００２１】
［その他実施例］
複数のコンクリート板１によって遮音床構造を構成する場合には、長手方向にコンクリートからなる仕切り板６を入れても良い。
長手方向に配置した仕切り板６によって、逆位相の干渉効果が生じ、衝撃音の振幅が小さくなり、音圧を下げることができる。
【符号の説明】
【００２２】
１    コンクリート板
１１  リブ
２    制振材
３    床板材
４    空隙
５    防振材
６    仕切り板
【図１】
2014020067.tif 000003
【図２】
2014020067.tif 000004
【図３】
2014020067.tif 000005